(57)【要約】【課題】本発明は、ユーザーが簡単、且つ迅速に、異なる入力モードに切り替えることができるようにするための、独立に作動することのできるタッチ入力モジュールを提供することを課題とする。【解決手段】本発明のタッチキーモジュールは、タッチ入力面を有するタッチ入力パネルを備え、且つ少なくとも一つの特定タッチゾーンを物理的に表示し、特定タッチゾーンがタッチされた時、且つタッチジェスチャーがタッチ入力面によって同時に入力した時、或いは特定タッチゾーンが持続的にタッチされた時、タッチ入力パネルは入力モードを切り替えることを特徴とする。【選択図】図２Ｃ
2013134783.tif 000002
【特許請求の範囲】
【請求項１】
タッチ入力面を有し、且つ少なくとも一つの特定タッチゾーンを表示するタッチ入力パネルを備え、
前記特定タッチゾーンがタッチされた時、且つ同時に前記タッチ入力面によってタッチジェスチャーを入力する時、前記タッチ入力パネルは前記タッチジェスチャーに基づいて前記タッチ入力パネルの入力モードを切り替えることを特徴とするタッチキーモジュール。
【請求項２】
前記タッチ入力パネルは、前記タッチジェスチャーの動作を判断し、前記動作に基づいて前記タッチ入力パネルの前記入力モードを前記動作指定のタッチ入力モードに切り替えることを特徴とする請求項１に記載のタッチキーモジュール。
【請求項３】
前記タッチ入力パネルは、前記タッチジェスチャーの動作を判断し、前記動作に基づいて前記タッチ入力パネルの前記入力モードをもう一つの異なるタッチ入力モードに切り替えることを特徴とする請求項１に記載のタッチモジュール。
【請求項４】
前記タッチ入力パネルは、前記タッチジェスチャーの動作を判断し、前記動作に基づいて前記タッチ入力パネルの前記入力モードを前のタッチ入力モードに戻すことを特徴とする請求項１に記載のタッチキーモジュール。
【請求項５】
前記タッチ入力パネルは、複数の入力ゾーンを表示し、前記複数の入力ゾーンはキー入力モードにおいて、前記タッチ入力面上で有効な入力ゾーンを表示することができ、前記タッチ入力パネルの前記入力モードはキー入力モード、或いはトラック入力モードであることを特徴とする請求項１に記載のタッチキーモジュール。
【請求項６】
前記トラック入力モードにおいて、前記タッチ入力面上で表示した有効な入力ゾーンは前記複数の入力ゾーンに限定されないことを特徴とする請求項５に記載のタッチキーモジュール。
【請求項７】
前記キー入力モードにおいて、前記入力信号はキーデータに対応し、前記トラック入力モードにおいて、前記入力信号はトラックデータに対応することを特徴とする請求項６に記載のタッチキーモジュール。
【請求項８】
前記複数の入力ゾーンとの間に間隔を有し、前記タッチ入力パネルは、
互いに交差排列設置される複数の行導線と複数の列導線とを更に備え、
前記複数の入力ゾーンのそれぞれは、前記複数の行導線と前記複数の列導線の少なくとも1つの接点をカバーすることを特徴とする請求項５に記載のタッチキーモジュール。
【請求項９】
タッチ入力面を有し、且つ少なくとも一つの特定タッチゾーンを表示するタッチ入力パネルを備え、
前記特定タッチゾーンが持続的にタッチされた時、前記タッチ入力パネルは入力モードを切り替えることを特徴とするタッチキーモジュール。
【請求項１０】
タッチ入力パネルを含み、前記タッチ入力パネルはタッチ入力面を有し、且つ少なくとも一つの特定タッチゾーンを表示するタッチキーモジュールであって、
前記特定タッチゾーンがタッチされた時、且つ前記タッチジェスチャーは前記タッチ入力面によって入力する時、或いは前記特定タッチゾーンが持続的にタッチされた時、モード切替操作と見なす入力ステップと、
前記モード切替操作に基づいて、前記タッチ入力パネルの入力モードを切り替える切替ステップと、を備えることを特徴とする前記タッチキーモジュールのモード切替方法。
【発明の詳細な説明】
【技術分野】
【０００１】
本発明は入力装置及びその処理方法に関するものであり、特に、タッチ入力装置及びその処理方法に関するものである。
【背景技術】
【０００２】
各種タイプのタッチ入力装置は、すでに電子製品に広く応用されている。例えば、携帯電話機とタブレット型コンピューターは、主にタッチスクリーンを入力装置とする。タッチスクリーン上に仮想キーが表示されたら、ユーザーはいままでの物理キーの作動習慣に基づいて、これらの仮想キーによって対応する関連文字を入力し、或いは指令を下すことができる。また、タッチスクリーン上にソースオブジェクト、或いは機能メニューを表示し、ユーザーはスクリーン上にドラッグ、オブジェクトを選択、或いは機能メニューに触れることができる。
【０００３】
従来のタッチスクリーンは、表示装置とタッチ入力パネルを備え、タッチ入力パネルは表示装置の表示面上に設置し、タッチ入力パネルは表示装置に合わせて共同作動し、例えば、表示装置上にアイコンを表示し、ユーザーがタッチ入力パネル上において、対応する領域にタッチ選択、或いは表示装置上にカーソルを表示し、ユーザーがタッチ入力パネル上に移動することができる。もし、タッチスクリーンをキーボードとして使用する場合、表示装置上に完全、或いは主要なキーボードを表示する必要がある。そしてユーザーがタッチ入力パネル上において、対応のキー領域をタッチ選択することによって、キー入力を発生する。
【０００４】
しかしながら、従来のタッチスクリーンの主な用途は、依然として、表示機能を提供し、且つ図形化のインタラクティブなインターフェースを提供することで、ユーザーに表示装置に表示されるアイコン、或いはメニューを直接タッチすることができる。もし、ユーザーはその他の入力モードを変更する場合、切替メニューを余分にタッチする必要がある。例えば、文字を入力する時、入力法を切り替えるために、アイコン、或いはメニューをタッチする必要があり、それから表示装置は、ユーザーが触れることができる仮想キーを表示する。もし、入力法のアイコン、或いはメニューが正しく設計されていない場合、ユーザーは直感的に或いは早く見つけることができなく、利用効率が悪くなる。
【発明の概要】
【発明が解決しようとする課題】
【０００５】
よって、ユーザーに簡単、且つ迅速に異なる入力モードに切替え、独立に作動することができるタッチ入力モジュールを如何に提供するかが重要な課題の一つとなる。
【０００６】
上記課題に鑑み、本発明の目的は、異なる入力モードを簡単かつ迅速に切り替えることができるタッチキーモジュール及びそのモード切替方法を提供することを課題とする。
【課題を解決するための手段】
【０００７】
上記の目的を達成するために、本発明に基づいたタッチキーモジュールは、タッチ入力面を有するタッチ入力パネルを備え、且つ少なくとも一つの特定タッチゾーンを物理的に表示し、特定タッチゾーンがタッチされた時、且つタッチジェスチャーはタッチ入力面によって同時に入力した時、タッチ入力パネルはタッチジェスチャーに基づいて、タッチ入力パネルの入力モードを切り替えることを特徴とする。
【０００８】
上記の目的を達成するために、本発明に基づいたタッチキーモジュールは、タッチ入力面を有するタッチ入力パネルを備え、且つ少なくとも一つの特定タッチゾーンを物理的に表示し、特定タッチゾーンが持続的にタッチされた時、タッチ入力パネルは、入力モードを切り替えることを特徴とする。
【０００９】
上記の目的を達成するために、本発明に基づいたタッチキーモジュールのモード切替方法において、タッチキーモジュールは、タッチ入力面を有するタッチ入力パネルを備え、且つ少なくとも一つの特定タッチゾーンを物理的に表示し、前記方法は、特定タッチゾーンがタッチされた時、且つ同時にタッチ入力パネルによって、タッチジェスチャーを入力、或いは前記特定タッチゾーンが持続的にタッチされた時、モード切替作動と見なす入力ステップと、モード切替に基づいて、タッチ入力パネルの入力モードを切り替える切替ステップと、を備えることを特徴とする。
【００１０】
本発明の一実施例において、タッチ入力パネル、或いは切替ステップはタッチジェスチャーの動作を判断し、前記動作に基づいて、タッチ入力パネルの入力モードを動作指定のタッチ入力モードに切り替える。
【００１１】
本発明の一実施例において、タッチ入力パネル、或いは切替ステップはタッチジェスチャーの動作を判断し、前記動作に基づいて、タッチ入力パネルの入力モードをもう一つの異なるタッチ入力モードに切り替える。
【００１２】
本発明の一実施例において、タッチ入力パネル、或いは切替ステップはタッチジェスチャーの動作を判断し、前記動作に基づいて、タッチ入力パネルの入力モードを前のタッチ入力モードに戻す。
【００１３】
本発明の一実施例において、タッチ入力パネルは複数の入力ゾーンを物理的に表示し、入力ゾーンはキー入力モードにおいて、タッチ入力面上で有効な入力ゾーンを表示し、タッチ入力パネルの入力モードは、キー入力モード、或いはトラック入力モードであり、タッチ入力パネルの入力モードはタッチジェスチャーに基づいて、キー入力モード、或いはトラック入力モードを選択的に切り替える。タッチ入力パネル上にはキーとしての入力ゾーンを形成する。例えば、ユーザーが簡単に識別するために、入力ゾーンにおいて、キーに対応するボーダー、及びキーの文字、或いは符号の図様を形成する。
【００１４】
本発明の一実施例において、トラック入力モードにおいて、タッチ入力面上に表示した有効な入力ゾーンは入力ゾーンに限定されない。
【００１５】
本発明の一実施例において、キー入力モードにおいて入力信号はキーデータに対応し、トラック入力モードにおいて入力信号はトラックデータに対応する。
【００１６】
本発明の一実施例において、特定タッチゾーンはキーを表示することができる。また、特定のタッチゾーンは一つのキーではないマーク範囲を表示することもできる。
【００１７】
本発明の一実施例において、入力ゾーンの間に間隔を有する。
【００１８】
本発明の一実施例において、タッチ入力パネルは抵抗膜式タッチパネル、或いは静電容量式タッチパネルである。
【発明の効果】
【００１９】
上述したように、本発明のタッチキーモジュール及びそのモード切替方法において、ユーザーは特定タッチゾーンを同時に操作し、且つ特定のタッチジェスチャーを作ることによって、入力モードを簡単、迅速に切り替えることができる。また、タッチ入力パネルはキー入力モード、或いはトラックの入力モードを選択的に作動することができる。よって、タッチキーモジュールはキー入力とトラック入力機能を提供することができる。
【図面の簡単な説明】
【００２０】
【図１Ａ】本発明の好ましい実施例に係るタッチキーモジュールのブロック図である。
【図１Ｂ】本発明の好ましい実施例に係るタッチキーモジュールのブロック図である。
【図２Ａ】本発明の好ましい実施例に係るタッチキーモジュールのブロック図である。
【図２Ｂ】本発明の好ましい実施例に係るタッチキーモジュールのブロック図である。
【図２Ｃ】本発明の好ましい実施例に係るタッチキーモジュールのブロック図である。
【図２Ｄ】本発明の好ましい実施例に係るタッチキーモジュールのブロック図である。
【図２Ｅ】本発明の好ましい実施例に係るタッチキーモジュールのブロック図である。
【図３】本発明の好ましい実施例に係るタッチキーモジュールのブロック図である。
【図４】本発明の好ましい実施例に係るタッチキーモジュールのタッチ入力パネルの一部の構造の上面ブロック図である。
【図５】本発明の好ましい実施例に係るタッチキーモジュールのモード切替方法の流れ図である。
【発明を実施するための形態】
【００２１】
関連する図面を参照しながら、本発明の好ましい実施例に係るタッチキーモジュール及びそのモード切替方法を以下の通りに説明し、このうち同じ部材は同じ符号を付して説明する。
【００２２】
図１Ａと図１Ｂは本発明の好ましい実施例に係るタッチキーモジュールのブロック図である。図１Ａと図１Ｂに示すように、本発明の好ましい実施例に係るタッチキーモジュール１は、タッチ入力パネル１０を備え、タッチ入力パネル１０は、タッチ入力面１１を有し、且つ少なくとも一つの特定タッチゾーン１２と複数の入力ゾーン１３を物理的に表示し、それぞれの入力ゾーン１３と特定タッチゾーン１２はユーザーのタッチに基づいて、入力信号を生成することができる。
【００２３】
タッチ入力パネル１０は、ユーザーが入力したモード切替操作を受信した場合、タッチ入力パネル１０は、モード切替操作に基づいて、入力モードを切り替える。モード切替操作は、特定タッチゾーンを押すこととタッチジェスチャーの組合せ操作を入力、或いは特定タッチゾーンの操作を持続的に押すことである。
【００２４】
例えば、特定タッチゾーン１２がタッチされた時、且つ同時にタッチジェスチャーがタッチ入力面１１によって入力された時、タッチ入力パネル１０はタッチジェスチャーに基づいて、タッチ入力パネル１０の入力モードを切り替える。或いはまた、例えば、特定タッチゾーンが（例えば、特定タッチゾーン１２）持続的に押された時、タッチ入力パネル１０は、入力モードを切り替える。タッチ入力パネル１０は上記二種類の切替方式を同時に有することができ、前記のうちの一つの切替方式のみを有することもできる。
【００２５】
タッチ入力パネル１０は、多種の入力モードを有することができ、且つモード切替操作の指示に基づいて、所定の入力モードに設定されることもできる。多種の入力モードは、例えば、異なるトラック入力モード、或いはキー入力モード、及びトラック入力モードの組合せである。
【００２６】
本発明の実施例において、特定タッチゾーン１２と入力ゾーン１３はキーとして表示する。また、特定タッチゾーンはキーとして表示することを限定したものでなく、キーではないマーク範囲として表示することもできる。
【００２７】
例えば、タッチキーモジュール１はキー入力モード（図１Ａに示すように）とトラック入力モード（図１Ｂに示すように）の機能を選択的に提供することで、キーボード、マウス、或いはデジタルボードとして応用することができる。ユーザーは、タッチ入力面１１上にモード切替操作によって、目的の入力機能、或いはアプリケーションを選択することができる。
【００２８】
図１Ａに示すように、キー入力モードにおいて、入力ゾーン１３と特定タッチゾーン１２は、タッチ入力面１１上に有効な入力ゾーンを生成し、それぞれの入力ゾーン１３と特定タッチゾーン１２はそれぞれ独立したキーであり、その生成された入力信号は各自に代表されるキーに対応している。さらにこのモードにおいて、タッチ入力面１１上に入力ゾーン１３と特定タッチゾーン１２以外のゾーンは有効な入力を生成することができない。
【００２９】
本発明の実施例において、タッチキーモジュール１は、標準的なキーボードに配列し、キーボードとして使用することができる。入力ゾーン１３は、標準的なキーボードのキーを表示し、例えば、Ａ〜Ｚ、Ｆ１〜Ｆ１２、Ａｌｌ、Ｃｔｒｌ、スペースキー（Ｓｐａｃｅ）、入力キー（Ｅｎｔｅｒ）、バックスペース（Ｂａｃｋｓｐａｃｅ）、ホーム（Ｈｏｍｅ）、エンド（Ｅｎｄ）、ページアップ（Ｐａｇｅ  Ｕｐ）、ページダウン（Ｐａｇｅ  Ｄｏｗｎ）などが挙げられる。それぞれの入力ゾーン１３は、その代表のキーが標準的なキーボードにある位置に基づいて、タッチ入力パネル１０の上に対応的に設置する。特定のタッチゾーン１２はファンクションキー（Ｆｎ）であることができる。
【００３０】
図１Ｂに示すように、トラック入力モードにおいて、タッチキーモジュール１はトラック入力装置と見なすことができる。例えば、トラック（ｔｒａｃｋｐａｄ）、或いは手書き（ｈａｎｄｗｒｉｔｉｎｇ  ｐａｄ）であり、ユーザーは、指、或いはタッチペンなどを移動してタッチ入力面１１上にトラック入力をすることで、タッチ入力面１１上に有効な入力ゾーンを生成することができ、それは入力ゾーン１３に限定されない。タッチ入力の位置情報は、位置座標、或いは変位で表示することができ、或いは位置情報は、絶対座標、或いは相対座標で表示することができる。例えば、タッチ入力面１１の一部、或いは全部をマウス機能を有するタッチとして使用した場合、位置情報は変位量によって表される。即ち、タッチキーモジュール１はタッチ入力に基づいて生成された出力は変位データである。もし、タッチ入力面１１の一部分、或いは全部をデジタルボードとして使用した場合、位置情報は位置座標で表されており、言い直すれば、タッチモジュール１は、タッチ入力に基づいて生成された出力は座標のデータである。
【００３１】
特定タッチゾーン１２がタッチされた時、且つ同時にタッチ入力面１１によって、タッチジェスチャーを入力した時、タッチ入力パネル１０はタッチジェスチャーに基づいてタッチ入力パネル１０の入力モードを切り替える。例えば、入力モードを指定の、次の、或いは前のタッチ入力モードに切り替える。よって、タッチ入力パネル１０は、異なるモードにおいて、入力ゾーン１３で生成された少なくとも一つの入力信号を選択的に操作し処理することができる。キー入力モードにおいて、入力信号はキーデータに対応し、トラック入力モードにおいて、入力信号はトラックデータに対応し、トラックデータはトラックの入力によって生成された位置情報を含むことができ、これらの位置情報は、トラックの入力のパスを表示し、或いは記憶する。
【００３２】
よって、ユーザーは、タッチ入力面１１において、タッチジェスチャー及び/或いは特定タッチゾーン１２によって、異なる入力モードを便利に切り替えることができる。
【００３３】
図２Ａと図２Ｂに示すように、タッチジェスチャーの動作は、スライド、或いは円を描くことができる。特定のタッチゾーン１２がタッチされた時、且つ同時にタッチ入力面１１によって、タッチジェスチャーを入力した時、タッチ入力パネル１０はタッチジェスチャーの動作を判断してから、動作に基づいてタッチ入力パネル１０の入力モードを動作指定のタッチ入力モードに切替え、或いは動作に基づいてタッチ入力パネルの入力モードをもう一つの異なるタッチ入力モードに切り替える。
【００３４】
例えば、タッチジェスチャーの特定動作は、一つのタッチ入力モードを直接に指定することである。タッチ入力パネル１０はＮ種類の入力モードを有し、ここでは、Ｎは３であることを例とし、図２Ａの如く、特定のタッチゾーン１２がタッチされた時、もし、タッチジェスチャーの動作が上に向いて移動した場合、第１の入力モードに入力したことになり、もし、タッチジェスチャーの動作が左に向いて移動した場合、第２の入力モードに入力したことになり、もし、タッチジェスチャーの動作が右に向いて移動した場合、第３の入力モードに入たことになる。第一から第三の入力モードは、それぞれキー入力モード（キーボードとする）と、第一トラック入力モード（タッチ、或いはマウスとする）と、第２トラック入力モード（手書き、或いはデジタルオンボードとする）であることができる。第一トラック入力モードは、変位データを出力することであり、第２トラック入力モードは、座標データを出力することである。
【００３５】
また、タッチジェスチャーの特定動作は、タッチ入力モードに現在にある入力モードから次の入力モードに切り替えるように指示することがである。例えば、タッチ入力パネル１０はＮ種類の入力モードを有し、ここでは、Ｎは３であることを例とし、特定のタッチゾーン１２がタッチされた時、タッチジェスチャーの動作は図２Ｂに示すように円を描き、或いは図２Ａに示すように、下に向いて移動した場合、切替の順番に基づいて、タッチ入力モードを変更し、切替の順番は第一から第Ｎ種の入力モードである。
【００３６】
タッチ入力パネル１０は、タッチジェスチャーの動作に基づいて、入力モードを前のタッチ入力モードに戻すことができる。図２Ｃに示すように、ユーザーは、タッチ入力面１１上において、特定タッチゾーン１２をタッチし、且つ一つのタッチジェスチャーの動作Ｔ１でタッチ入力パネル１０の入力モードを切り替えることによって、タッチ入力パネル１０の入力モードは動作Ｔ１に指定されるタッチ入力モード、或いは次の一つのタッチ入力モードである。そして、ユーザーがタッチ入力面１１上において、特定タッチゾーン１２をタッチすると同時に、タッチジェスチャーの動作Ｔ２を行い、且つ動作Ｔ２は、動作Ｔ１と逆であり、この時、タッチ入力パネル１０は前の入力モードに戻り、即ち、動作Ｔ１の前の入力モードに戻る。例えば、動作Ｔ１は一方向に向かって直線に滑り、動作Ｔ２は反対方向に向かって直線に滑り、動作Ｔ１と動作Ｔ２は左右、上下、或いは斜めの方向関係であることができる。また、動作Ｔ１と動作Ｔ２は、回転の方向関係であり、例えば、動作Ｔ１と動作Ｔ２はそれぞれ時計回りと反時計回りの方向である。前のタッチジェスチャーの動作は直線滑り、或いは回転滑り、或いは任意方位角の滑りであっても、いまのタッチジェスチャーの動作は、もし、前のタッチジェスチャーの動作と逆の場合、タッチ入力パネル１０は前のタッチ入力モードに戻る。
【００３７】
図２Ａ〜図２Ｃに示すように、ユーザーは、左手で特定タッチゾーン１２を押し、右手でタッチ入力面１１の中央にタッチジェスチャーを行い、入力モードを切替え、タッチ入力面１１の中央は余分に部材を追加する必要がなくても、中央にモード切替え機能を提供することができる。
【００３８】
さらに、ユーザーは少なくとも一つの特定タッチゾーンを持続的に押すことによって、タッチ入力パネルにある入力モードを切り替えることもできる。
【００３９】
図２Ｄと図２Ｅは、本発明の好ましい実施例に係るタッチキーモジュールの概略図である。図２Ｄと図２Ｅに示すように、特定のタッチゾーン１６は、入力ゾーンと重畳しなく、キーの入力ゾーンの外に位置する。本実施例において、特定タッチゾーン１６は、標準のキーボードのキーに属しておらず、標準的なキーボードに準拠して配置された入力ゾーンの配置に影響を与えないように、スペースキーの下に配置されており、ユーザーに親指、或いは他の指で便利に操作することができる。特定タッチゾーン１６は、入力ゾーンが配置されていない別の場所に配置することができる。
【００４０】
図２Ｄに示すように、ユーザーは、単に、特定タッチゾーン１６を持続的に押すだけでタッチ入力パネル１０の入力モードを切り替える。図２Ｅに示すように、ユーザーは、特定タッチゾーン１２、１６を同時に持続的に押すことによって、タッチ入力パネル１０の入力モードを切り替える。特定タッチゾーン１６を持続的に押す、或いは特定タッチゾーン１２、１６を同時に持続的に押すことでモード切替操作と見なすことができる。図２Ｄと図２Ｅにおいて、持続的に押すことは、特定の時間において持続的にタッチすることであり、即ち、絶え間なくタッチすることである。例えば、特定タッチゾーン１６が、もし、所定時間以上タッチされた場合、持続的なタッチと見なすことができる。所定時間の長さは、入力ゾーン１３のタッチ反応時間であり、タッチ反応時間は、有効な入力信号を生成できるためタッチ動作に必要となる時間である。
【００４１】
図３に示すように、タッチキーモジュール１は、処理ユニット１４と出力ユニット１５を更に備える。処理ユニット１４と出力ユニット１５はタッチ入力パネル１０に設置することができる。処理ユニット１４は入力ゾーン１３から入力された信号ＳＩを処理すると同時に、出力ユニット１５によってキーデータＤＫ、或いはトラックデータＤＴを出力する。これらのデータは電子装置に出力することができる。例えば、デスクトップコンピュータ、ノートブック、或いはタブレットＰＣなど計算機装置、或いはその他の情報を受信することができる電子装置に出力する。例えば、パーソナルデジタルアシスタント、或いはスマートフォンなど。
【００４２】
タッチ入力面１１に入力されたタッチジェスチャーと特定タッチゾーン１２の入力信号は処理ユニット１４によって処理することができる。処理ユニット１４はタッチジェスチャーに基づいて入力モードを切り替えることができ、出力ユニット１５は処理ユニット１４に電気的に接続される。また、タッチキーモジュール１は、メモリユニットを更に備えることができ、メモリユニットは各種のタッチ入力モードの特徴動作を格納するため、処理ユニット１４にタッチジェスチャーの動作に対応するタッチ入力モードを判断することができる。
【００４３】
モード切替え操作に発生された入力信号は処理ユニット１４から処理することができるため、処理ユニット１４は入力モード切り替えることによって、モード切替え操作は、前記に述べられたように、例えば、特定タッチゾーン１６を持続的に押し、或いは特定タッチゾーン１２、１６を同時に持続的に押すことである。
【００４４】
図４に示すように、図４は本発明の好ましい実施例に係るタッチキーモジュールのタッチ入力パネルの一部の構造の上面ブロック図である。
【００４５】
タッチ入力パネル１０は互いに交差排列される複数の行（Ｒｏｗ）導線１０１と複数の列（Ｃｏｌｕｍｎ）導線１０２を備えることができ、それぞれの入力ゾーン１３は、行導線１０１と列導線１０２の少なくとも1つの接点をカバーする。入力ゾーン１３の間に間隔を有し、行導線１０１と列導線１０２の一部の接点は任意の入力ゾーン１３内にカバーされていないが、間隔内に配置される。行導線１０１と列導線１０２の材料は、透明導電性材料であり、例えば、インジウムスズ酸化物（Indium Tin Oxide ,ITO)や高分子導電性材料である。
【００４６】
タッチ入力パネル１０はデジタルマトリクスの抵抗膜方式タッチパネルであり、ユーザーによって押されたときに、行導線１０１と列導線１０２は接点で導通することによって、入力信号を生成し、入力信号は、接点に接続される行導線１０１と列導線１０２によって、処理ユニットに伝送される。また、タッチ入力パネル１０はタッチされる時に押す力の違いを利用して誤触を避けることができる。
【００４７】
キー入力モードにおいて、入力ゾーン１３内の接点によって発生された信号のみを有効な入力と見なされ、それに対して間隔内の接点によって発生された信号は、有効な入力と見なされないから、キー入力の効果をシミュレーションすることができる。トラックの入力モードでは、入力ゾーン１３内、或いは間隔内の接点のいずれによって生成された信号は有効な入力と見なされるため、手書きとして使用することができる。
【００４８】
タッチ入力パネルの種類は抵抗膜式タッチパネルに限定されず、静電容量方式のタッチパネルを採用することもできる。どのようなタッチ入力パネルを採用しても、タッチ入力パネルのタッチ入力面上には複数のタッチ入力ポイントを有する。例えば、前記の接点はタッチ入力ポイントを構成することができる。入力ゾーンは、対応するゾーン内のタッチ入力ポイントに重ねずにカバーし、即ち、一つのタッチ入力ポイントは二つ以上の入力ゾーンにカバーされない。入力ゾーンにカバーされていないタッチ入力ポイントはキー入力モードで有効な入力ポイントとしてみなされないが、トラック入力モードでは、有効な入力ポイントとみなすことができる。
【００４９】
上記実施例において、タッチキーモジュール１は、表示装置を用いて複数の入力ゾーンを表示するものでなく、タッチ入力パネル１０に複数の各自独立に入力することができる入力ゾーン１３と特定のタッチゾーン１２を直接に形成する。即ち、タッチ入力パネル１０上にキーの入力ゾーン１３と特定のタッチゾーン１２とを有する。それぞれ入力ゾーン１３と特定タッチゾーン１２は、それぞれ対応するキーを表示することができる。例えば、入力ゾーン１３と特定のタッチゾーン１２の内表面、外表面、或いは内層、外層上に対応するキーの境界、及びキーの文字、或いは符号の図様を形成することによって、ユーザーはそれらを簡単に認識することができる。形成の方式は、例えば、印刷、或いは彫刻などである。或いは、入力ゾーン１３と特定のタッチゾーン１２内に、カラー蛍光体、或いは染料を設置し、蛍光体、或いは染料は、対応する文字、或いは符号の図様に配置される。
【００５０】
タッチ入力パネル１０は、スペーサによって分離された二つのプレートを主に備え、二つのプレート内側に導電層を設け、導電層がパターン化された後、複数の行導線と列導線を形成する。二つのプレートは基板、或いはフィルム、或いはそれぞれ基板とフィルムであることができる。基板の種類はガラス基板、或いはプラスチック基板にすることができ、プレートの材料は、アクリル、ポリメチルメタクリレート、或いはポリカーボネートなどを含むことができる。それぞれ入力ゾーン１３と特定タッチゾーン１２のパターンは、印刷などの方式を用いてその中の一つのプレート上に形成することができる。パターンの材料は、蛍光体、或いは染料であることができ、蛍光体、或いは染料は対応する文字、或いは符号の図様に配置することができる。
【００５１】
上記実施例において、タッチキーモジュールは、例の説明であり、標準のキーボードの配列に限定されず、タッチキーモジュールは、応用のニーズによって、適切なタイプに配置することができる。例えば、数字のキーボードのタイプに配置する。また、タッチ入力パネルはフレキシブルパネルであることができる。
【００５２】
図５に示すように、本発明の好ましい実施例に係るタッチキーモジュールのモード切替方法は、入力ステップＳ０１と切替ステップＳ０２を含み、タッチキーモジュールは、タッチ入力パネルを含み、タッチ入力パネルはタッチ入力面を有し、且つ少なくとも一つの特定タッチゾーンを物理的に表示する。入力ステップＳ０１は、特定タッチゾーンがタッチされた時、且つ同時にタッチ入力面によってタッチジェスチャーを入力した時、或いは特定タッチゾーンが持続的にタッチされた時、モード切替操作と見なす。切替ステップＳ０２は、モード切替操作に基づいて、タッチ入力パネルの入力モードを切り替える。
【００５３】
本実施例のモード切替方法は前記実施例のタッチキーモジュールを応用することができ、且つ本方法の関連バリエーションと詳細は上記の実施例のタッチモジュールの使用、或いは処理過程に似ているため、ここで繰り返して述べない。
【００５４】
上述をまとめると、本発明のタッチキーモジュールとそのモード切替方法において、ユーザーは特定タッチゾーンを同時に操作することができ、及び特定タッチジェスチャーを行うことができるため、簡単、且つ迅速に入力モードを切り替えることができる。また、タッチ入力パネルは、キー入力モード、或いはトラック入力モードを選択的に操作することができる。故に、タッチキーモジュールはキー入力とトラックの入力機能を提供することができる。
【００５５】
上記は例示的なものであって、限定するためのものではない。本発明の技術的思想および範囲から逸脱することなく、行われる等価の修正または変更は、いずれも後記の特許請求の範囲に含まれる。
【産業上の利用可能性】
【００５６】
本発明は以上の如く構成したため、本発明は、簡単、且つ迅速に異なる入力モードのタッチキーモジュール及びそのモード切替方法を提供し得るものである。
【符号の説明】
【００５７】
１          タッチキーモジュール
１０        タッチ入力パネル
１０１      行導線
１０２      列導線
１１        タッチ入力面
１２、１６  特定タッチゾーン
１３        入力ゾーン
１４        処理ユニット
１５        出力ユニット
ＤＫ        キーデータ
ＤＴ        トラックデータ
【図１Ａ】
2013134783.tif 000003
【図１Ｂ】
2013134783.tif 000004
【図２Ａ】
2013134783.tif 000005
【図２Ｂ】
2013134783.tif 000006
【図２Ｃ】
2013134783.tif 000007
【図２Ｄ】
2013134783.tif 000008
【図２Ｅ】
2013134783.tif 000009
【図３】
2013134783.tif 000010
【図４】
2013134783.tif 000011
【図５】
2013134783.tif 000012